(57)【要約】      （修正有）【課題】調整されたマルチ・ポイント（ＣｏＭＰ）セットの非サービス提供アクセス・ポイント（ＡＰ）による無線通信のための方法を提供する。【解決手段】ＣｏＭＰセット内の複数のアクセス・ポイントから送信された統合ＣｏＭＰ送信のアクノレッジメントのために、第１のユーザ機器ＵＥ１に割り当てられたアップリンク・リソースに関する情報を、ＣｏＭＰセットのサービス提供アクセス・ポイントＡＰ１から受信することと、第１のユーザ機器ＵＥ１へのダウンリンク送信を、統合ＣｏＭＰ送信の一部として送信することと、第１のユーザ機器ＵＥ１からの統合ＣｏＭＰ送信のアクノレッジメントとの干渉を低減するために、サービス提供ＡＰ１から受信した情報に基づいて動作を行うことと、を含む。【選択図】図４
2014014109.tif 000002
【特許請求の範囲】
【請求項１】
調整されたマルチ・ポイント（ＣｏＭＰ）セットの非サービス提供アクセス・ポイント（ＡＰ）による無線通信のための方法であって、
前記ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、前記ＣｏＭＰセットのサービス提供ＡＰから受信することと、
前記第１のＵＥへのダウンリンク送信を、前記統合ＣｏＭＰ送信の一部として送信することと、
前記第１のＵＥからの前記統合ＣｏＭＰ送信のアクノレッジメントとの干渉を低減するために、前記サービス提供ＡＰから受信した情報に基づいて、１または複数の動作を行うことと、
を備える方法。
【請求項２】
前記情報は、前記第１のＵＥに割り当てられた物理アップリンク制御チャネル（ＰＵＣＣＨ）リソースを示すインジケーションを備える、請求項１に記載の方法。
【請求項３】
前記情報は、前記サービス提供ＡＰによって、物理ダウンリンク制御チャネル（ＰＤＣＣＨ）の制御チャネル要素（ＣＣＥ）で送信される、請求項１に記載の方法。
【請求項４】
前記情報は、ラジオ・リソース制御（ＲＲＣ）シグナリングによって受信される、請求項１に記載の方法。
【請求項５】
前記１または複数の動作を行うことは、前記第１のＵＥから送信されたアクノレッジメントと潜在的に干渉しうる１または複数の第２のＵＥへのアップリンク・リソースの割り当てを回避することを備える、請求項１に記載の方法。
【請求項６】
前記第１のＵＥから送信されたアクノレッジメントと潜在的に干渉しうる１または複数の第２のＵＥへのアップリンク・リソースの割り当てを回避することは、前記アクノレッジメントを送信するために前記第１のＵＥへ割り当てられたアップリンク・リソースとオーバラップするアクノレッジメントを送信するために、前記第２のＵＥへのアップリンク・リソースの割り当てを回避することを備える、請求項５に記載の方法。
【請求項７】
前記１または複数の動作を行うことは、ディセーブルされたハイブリッド自動反復要求（ＨＡＲＱ）を用いて、１または複数のＵＥへダウンリンク送信を送ることを備える、請求項１に記載の方法。
【請求項８】
前記ダウンリンク送信の再送信に関する情報を、前記サービス提供ＡＰから受信することをさらに備える、請求項７に記載の方法。
【請求項９】
調整されたマルチ・ポイント（ＣｏＭＰ）セットのサービス提供アクセス・ポイント（ＡＰ）による無線通信のための方法であって、
前記ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、前記ＣｏＭＰセットの非サービス提供ＡＰへ送信することと、
前記ＵＥへのダウンリンク送信を、前記統合ＣｏＭＰ送信の一部として送信することと、
を備える方法。
【請求項１０】
前記情報は、前記ＵＥに割り当てられた物理アップリンク制御チャネル（ＰＵＣＣＨ）リソースを示すインジケーションを備える、請求項９に記載の方法。
【請求項１１】
前記情報は、物理ダウンリンク制御チャネル（ＰＤＣＣＨ）の制御チャネル要素（ＣＣＥ）で送信される、請求項９に記載の方法。
【請求項１２】
前記情報は、ラジオ・リソース制御（ＲＲＣ）シグナリングによって送信される、請求項９に記載の方法。
【請求項１３】
前記ＵＥからのアクノレッジメントが受信されない場合、前記ダウンリンク送信の再送信に関する情報を、非サービス提供ＡＰへ送信することをさらに備える、請求項９に記載の方法。
【請求項１４】
調整されたマルチ・ポイント（ＣｏＭＰ）セットの非サービス提供アクセス・ポイント（ＡＰ）による無線通信のための装置であって、
前記ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、前記ＣｏＭＰセットのサービス提供アクセス・ポイントから受信し、
前記第１のＵＥへのダウンリンク送信を、前記統合ＣｏＭＰ送信の一部として送信し、
前記第１のＵＥからの前記統合ＣｏＭＰ送信のアクノレッジメントとの干渉を低減するために、前記サービス提供ＡＰから受信した情報に基づいて、１または複数の動作を行う、
ように構成された少なくとも１つのプロセッサと、
前記少なくとも１つのプロセッサに接続されたメモリと、
を備える装置。
【請求項１５】
前記情報は、前記第１のＵＥに割り当てられた物理アップリンク制御チャネル（ＰＵＣＣＨ）リソースを示すインジケーションを備える、請求項１４に記載の装置。
【請求項１６】
前記情報は、前記サービス提供ＡＰによって、物理ダウンリンク制御チャネル（ＰＤＣＣＨ）の制御チャネル要素（ＣＣＥ）で送信される、請求項１４に記載の装置。
【請求項１７】
前記情報は、ラジオ・リソース制御（ＲＲＣ）シグナリングによって受信される、請求項１４に記載の装置。
【請求項１８】
前記１または複数の動作を行うように構成された少なくとも１つのプロセッサはさらに、前記第１のＵＥから送信されたアクノレッジメントと潜在的に干渉しうる１または複数の第２のＵＥへのアップリンク・リソースの割り当てを回避するように構成された、請求項１４に記載の装置。
【請求項１９】
前記第１のＵＥから送信されたアクノレッジメントと潜在的に干渉しうる１または複数の第２のＵＥへのアップリンク・リソースの割り当てを回避するように構成された少なくとも１つのプロセッサはさらに、前記アクノレッジメントを送信するために前記第１のＵＥへ割り当てられたアップリンク・リソースとオーバラップするアクノレッジメントを送信するために、前記第２のＵＥへのアップリンク・リソースの割り当てを回避するように構成された、請求項１８に記載の装置。
【請求項２０】
前記１または複数の動作を行うように構成された少なくとも１つのプロセッサはさらに、ディセーブルされたハイブリッド自動反復要求（ＨＡＲＱ）を用いて、１または複数のＵＥへダウンリンク送信を送るように構成された、請求項１４に記載の装置。
【請求項２１】
前記少なくとも１つのプロセッサはさらに、前記ダウンリンク送信の再送信に関する情報を、前記サービス提供ＡＰから受信するように構成された、請求項２０に記載の装置。
【請求項２２】
調整されたマルチ・ポイント（ＣｏＭＰ）セットのサービス提供アクセス・ポイント（ＡＰ）による無線通信のための装置であって、
前記ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、前記ＣｏＭＰセットの非サービス提供アクセス・ポイントへ送信し、
前記ＵＥへのダウンリンク送信を、前記統合ＣｏＭＰ送信の一部として送信する、
ように構成された少なくとも１つのプロセッサと、
前記少なくとも１つのプロセッサに接続されたメモリと、
を備える装置。
【請求項２３】
前記情報は、前記ＵＥに割り当てられた物理アップリンク制御チャネル（ＰＵＣＣＨ）リソースを示すインジケーションを備える、請求項２２に記載の装置。
【請求項２４】
前記情報は、物理ダウンリンク制御チャネル（ＰＤＣＣＨ）の制御チャネル要素（ＣＣＥ）で送信される、請求項２２に記載の装置。
【請求項２５】
前記情報は、ラジオ・リソース制御（ＲＲＣ）シグナリングによって送信される、請求項２２に記載の装置。
【請求項２６】
前記少なくとも１つのプロセッサはさらに、前記ＵＥからのアクノレッジメントが受信されない場合、前記ダウンリンク送信の再送信に関する情報を、非サービス提供ＡＰへ送信するように構成された、請求項２２に記載の装置。
【請求項２７】
調整されたマルチ・ポイント（ＣｏＭＰ）セットの非サービス提供アクセス・ポイント（ＡＰ）による無線通信のための装置であって、
前記ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、前記ＣｏＭＰセットのサービス提供ＡＰから受信する手段と、
前記第１のＵＥへのダウンリンク送信を、前記統合ＣｏＭＰ送信の一部として送信する手段と、
前記第１のＵＥからの前記統合ＣｏＭＰ送信のアクノレッジメントとの干渉を低減するために、前記サービス提供ＡＰから受信した情報に基づいて、１または複数の動作を行う手段と、
を備える装置。
【請求項２８】
前記情報は、前記第１のＵＥに割り当てられた物理アップリンク制御チャネル（ＰＵＣＣＨ）リソースを示すインジケーションを備える、請求項２７に記載の装置。
【請求項２９】
前記情報は、前記サービス提供ＡＰによって、物理ダウンリンク制御チャネル（ＰＤＣＣＨ）の制御チャネル要素（ＣＣＥ）で送信される、請求項２７に記載の装置。
【請求項３０】
前記情報は、ラジオ・リソース制御（ＲＲＣ）シグナリングによって受信される、請求項２７に記載の装置。
【請求項３１】
前記１または複数の動作を行う手段は、前記第１のＵＥから送信されたアクノレッジメントと潜在的に干渉しうる１または複数の第２のＵＥへのアップリンク・リソースの割り当てを回避する手段を備える、請求項２７に記載の装置。
【請求項３２】
前記第１のＵＥから送信されたアクノレッジメントと潜在的に干渉しうる１または複数の第２のＵＥへのアップリンク・リソースの割り当てを回避する手段は、前記アクノレッジメントを送信するために前記第１のＵＥへ割り当てられたアップリンク・リソースとオーバラップするアクノレッジメントを送信するために、前記第２のＵＥへのアップリンク・リソースの割り当てを回避する手段を備える、請求項３１に記載の装置。
【請求項３３】
前記１または複数の動作を行う手段は、ディセーブルされたハイブリッド自動反復要求（ＨＡＲＱ）を用いて、１または複数のＵＥへダウンリンク送信を送る手段を備える、請求項２７に記載の装置。
【請求項３４】
前記ダウンリンク送信の再送信に関する情報を、前記サービス提供ＡＰから受信する手段をさらに備える、請求項３３に記載の装置。
【請求項３５】
調整されたマルチ・ポイント（ＣｏＭＰ）セットのサービス提供アクセス・ポイント（ＡＰ）による無線通信のための装置であって、
前記ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、前記ＣｏＭＰセットの非サービス提供アクセス・ポイントへ送信する手段と、
前記ＵＥへのダウンリンク送信を、前記統合ＣｏＭＰ送信の一部として送信する手段と、
を備える装置。
【請求項３６】
前記情報は、前記ＵＥに割り当てられた物理アップリンク制御チャネル（ＰＵＣＣＨ）リソースを示すインジケーションを備える、請求項３５に記載の装置。
【請求項３７】
前記情報は、物理ダウンリンク制御チャネル（ＰＤＣＣＨ）の制御チャネル要素（ＣＣＥ）で送信される、請求項３５に記載の装置。
【請求項３８】
前記情報は、ラジオ・リソース制御（ＲＲＣ）シグナリングによって送信される、請求項３５に記載の装置。
【請求項３９】
前記ＵＥからのアクノレッジメントが受信されない場合、前記ダウンリンク送信の再送信に関する情報を、非サービス提供ＡＰへ送信する手段をさらに備える、請求項３５に記載の装置。
【請求項４０】
調整されたマルチ・ポイント（ＣｏＭＰ）セットの非サービス提供アクセス・ポイント（ＡＰ）による無線通信のためのコンピュータ・プログラム製品であって、
１または複数のプロセッサによって実行可能な、格納された命令群を有するコンピュータ読取可能媒体を備え、前記命令群は、
前記ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、前記ＣｏＭＰセットのサービス提供ＡＰから受信するための命令群と、
前記第１のＵＥへのダウンリンク送信を、前記統合ＣｏＭＰ送信の一部として送信するための命令群と、
前記第１のＵＥからの前記統合ＣｏＭＰ送信のアクノレッジメントとの干渉を低減するために、前記サービス提供ＡＰから受信した情報に基づいて、１または複数の動作を行うための命令群と、
を備えるコンピュータ・プログラム製品。
【請求項４１】
前記情報は、前記第１のＵＥに割り当てられた物理アップリンク制御チャネル（ＰＵＣＣＨ）リソースを示すインジケーションを備える、請求項４０に記載の装置。
【請求項４２】
前記情報は、前記サービス提供ＡＰによって、物理ダウンリンク制御チャネル（ＰＤＣＣＨ）の制御チャネル要素（ＣＣＥ）で送信される、請求項４０に記載の装置。
【請求項４３】
前記情報は、ラジオ・リソース制御（ＲＲＣ）シグナリングによって受信される、請求項４０に記載の装置。
【請求項４４】
前記１または複数の動作を行うための命令群は、前記第１のＵＥから送信されたアクノレッジメントと潜在的に干渉しうる１または複数の第２のＵＥへのアップリンク・リソースの割り当てを回避するための命令群を備える、請求項４０に記載の装置。
【請求項４５】
前記第１のＵＥから送信されたアクノレッジメントと潜在的に干渉しうる１または複数の第２のＵＥへのアップリンク・リソースの割り当てを回避するための命令群は、前記アクノレッジメントを送信するために前記第１のＵＥへ割り当てられたアップリンク・リソースとオーバラップするアクノレッジメントを送信するために、前記第２のＵＥへのアップリンク・リソースの割り当てを回避するための命令群を備える、請求項４４に記載の装置。
【請求項４６】
前記１または複数の動作を行うための命令群は、ディセーブルされたハイブリッド自動反復要求（ＨＡＲＱ）を用いて、１または複数のＵＥへダウンリンク送信を送るための命令群を備える、請求項４０に記載の装置。
【請求項４７】
前記ダウンリンク送信の再送信に関する情報を、前記サービス提供ＡＰから受信するための命令群をさらに備える、請求項４６に記載の装置。
【請求項４８】
調整されたマルチ・ポイント（ＣｏＭＰ）セットのサービス提供アクセス・ポイント（ＡＰ）による無線通信のためのコンピュータ・プログラム製品であって、
１または複数のプロセッサによって実行可能な、格納された命令群を有するコンピュータ読取可能媒体を備え、前記命令群は、
前記ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、前記ＣｏＭＰセットの非サービス提供アクセス・ポイントへ送信するための命令群と、
前記ＵＥへのダウンリンク送信を、前記統合ＣｏＭＰ送信の一部として送信するための命令群と、
を備えるコンピュータ・プログラム製品。
【請求項４９】
前記情報は、前記ＵＥに割り当てられた物理アップリンク制御チャネル（ＰＵＣＣＨ）リソースを示すインジケーションを備える、請求項４８に記載の装置。
【請求項５０】
前記情報は、物理ダウンリンク制御チャネル（ＰＤＣＣＨ）の制御チャネル要素（ＣＣＥ）で送信される、請求項４８に記載の装置。
【請求項５１】
前記情報は、ラジオ・リソース制御（ＲＲＣ）シグナリングによって送信される、請求項４８に記載の装置。
【請求項５２】
前記ＵＥからのアクノレッジメントが受信されない場合、前記ダウンリンク送信の再送信に関する情報を、非サービス提供ＡＰへ送信するための命令群をさらに備える、請求項４８に記載の装置。
【発明の詳細な説明】
【優先権主張】
【０００１】
本特許出願は、本願の譲受人に譲渡され本明細書において参照によって明確に組み込まれている２００９年７月３０日出願の「ＣｏＭＰ通信における効率的な制御チャネル復号」（Efficient Control Channel Decoding In CoMP Communications）と題された仮特許出願６１／２３０，０７７号の利益を要求する。
【技術分野】
【０００２】
本開示は、一般に、通信に関し、さらに詳しくは、無線通信ネットワークにおけるアップリンク制御チャネルの効率的な復号に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システムによって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【発明の概要】
【０００６】
本開示のある態様は、調整されたマルチ・ポイント（ＣｏＭＰ）セットの非サービス提供アクセス・ポイント（ＡＰ）による無線通信のための方法を提供する。この方法は一般に、ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、ＣｏＭＰセットのサービス提供アクセス・ポイントから受信することと、第１のＵＥへのダウンリンク送信を、統合ＣｏＭＰ送信の一部として送信することと、第１のＵＥからの統合ＣｏＭＰ送信のアクノレッジメントとの干渉を低減するために、サービス提供ＡＰから受信した情報に基づいて、１または複数の動作を行うことと、を含む。
【０００７】
本開示のある態様は、調整されたマルチ・ポイント（ＣｏＭＰ）セットのサービス提供アクセス・ポイント（ＡＰ）による無線通信のための方法を提供する。この方法は一般に、ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、ＣｏＭＰセットの非サービス提供アクセス・ポイントへ送信することと、ＵＥへのダウンリンク送信を、統合ＣｏＭＰ送信の一部として送信することと、を含む。
【０００８】
本開示のある態様は、調整されたマルチ・ポイント（ＣｏＭＰ）セットの非サービス提供アクセス・ポイント（ＡＰ）による無線通信のための装置を提供する。この装置は一般に、ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、ＣｏＭＰセットのサービス提供アクセス・ポイントから受信し、第１のＵＥのダウンリンク送信を、統合ＣｏＭＰ送信の一部として送信し、第１のＵＥからの統合ＣｏＭＰ送信のアクノレッジメントとの干渉を低減するために、サービス提供ＡＰから受信した情報に基づいて、１または複数の動作を行う、ように構成された少なくとも１つのプロセッサと、少なくとも１つのプロセッサに接続されたメモリとを含む。
【０００９】
本開示のある態様は、調整されたマルチ・ポイント（ＣｏＭＰ）セットのサービス提供アクセス・ポイント（ＡＰ）による無線通信のための装置を提供する。この装置は一般に、ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、ＣｏＭＰセットの非サービス提供アクセス・ポイントへ送信し、ＵＥへのダウンリンク送信を、統合ＣｏＭＰ送信の一部として送信する、ように構成された少なくとも１つのプロセッサと、少なくとも１つのプロセッサに接続されたメモリとを含む。
【００１０】
本開示のある態様は、調整されたマルチ・ポイント（ＣｏＭＰ）セットの非サービス提供アクセス・ポイント（ＡＰ）による無線通信のための装置を提供する。この装置は一般に、ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、ＣｏＭＰセットのサービス提供ＡＰから受信する手段と、第１のＵＥへのダウンリンク送信を、統合ＣｏＭＰ送信の一部として送信する手段と、第１のＵＥからの統合ＣｏＭＰ送信のアクノレッジメントとの干渉を低減するために、サービス提供ＡＰから受信した情報に基づいて、１または複数の動作を行う手段とを含む。
【００１１】
本開示のある態様は、調整されたマルチ・ポイント（ＣｏＭＰ）セットのサービス提供アクセス・ポイント（ＡＰ）による無線通信のための装置を提供する。この装置は一般に、ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、ＣｏＭＰセットの非サービス提供アクセス・ポイントへ送信する手段と、ＵＥへのダウンリンク送信を、統合ＣｏＭＰ送信の一部として送信する手段とを含む。
【００１２】
ある実施形態は、調整されたマルチ・ポイント（ＣｏＭＰ）セットの非サービス提供アクセス・ポイント（ＡＰ）による無線通信のためのコンピュータ・プログラム製品を提供する。これは、１または複数のプロセッサによって実行可能な、格納された命令群を有するコンピュータ読取可能な媒体を備える。これら命令群は一般に、ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、ＣｏＭＰセットのサービス提供アクセス・ポイントから受信するための命令群と、第１のＵＥのダウンリンク送信を、統合ＣｏＭＰ送信の一部として送信するための命令群と、第１のＵＥからの統合ＣｏＭＰ送信のアクノレッジメントとの干渉を低減するために、サービス提供ＡＰから受信した情報に基づいて、１または複数の動作を行うための命令群とを含む。
【００１３】
ある実施形態は、調整されたマルチ・ポイント（ＣｏＭＰ）セットのサービス提供アクセス・ポイント（ＡＰ）による無線通信のためのコンピュータ・プログラム製品を提供する。これは、１または複数のプロセッサによって実行可能な、格納された命令群を有するコンピュータ読取可能な媒体を備える。これら命令群は一般に、ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、ＣｏＭＰセットの非サービス提供アクセス・ポイントへ送信するための命令群と、ＵＥへのダウンリンク送信を、統合ＣｏＭＰ送信の一部として送信するための命令群とを含む。
【図面の簡単な説明】
【００１４】
本開示の上述した特徴が、より詳細に理解される方式で、簡潔に要約された具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示しており、この範囲を限定するものとして考慮されないことが注目されるべきである。
【図１】図１は、本開示のある態様にしたがう多元接続無線通信システムを例示する。
【図２】図２は、本開示のある態様にしたがう通信システムのブロック図を例示する。
【図３】図３は、本開示のある態様にしたがう無線通信システムを例示する。
【図４】図４は、本開示のある態様にしたがって、調整されたマルチ・ポイント（ＣｏＭＰ）送信を利用する無線通信システムの例を例示する。
【図５】図５は、本開示のある態様にしたがって、アップリンク制御チャネルの効率的な復号のために、ＣｏＭＰセットのサービス提供アクセス・ポイント（ＡＰ）によって実行されうる動作の例を例示する。
【図６】図６は、本開示のある態様にしたがって、アップリンク制御チャネルの効率的な復号のために、ＣｏＭＰセットの非サービス提供アクセス・ポイント（ＡＰ）によって実行されうる動作の例を例示する。
【図７】図７は、本開示のある実施形態にしたがって、ＣｏＭＰ通信におけるアップリンク・リソース割当を調整するシステムの例を例示する。
【発明を実施するための形態】
【００１５】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されることが明らかであることが明白でありうる。
【００１６】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００１７】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末と通信するために利用され、アクセス・ポイント、ノードＢ、あるいはその他いくつかの用語で称されうる。
【００１８】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００１９】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含んでいる。ＣＤＭＡ２０００は、ＩＳ−２０００規格、ＩＳ−９５規格、およびＩＳ−８５６規格をカバーする。ＴＤＭＡネットワークは、例えばグローバル・システム・フォー・モバイル通信（ＧＳＭ（登録商標））のようなラジオ技術を実現しうる。
【００２０】
ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現する。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００２１】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有の単一キャリア構造により、低いピーク対平均電力比（ＰＡＰＲ）を有する。ＳＣ−ＦＤＭＡは、送信電力効率の観点において、低ＰＡＰＲがモバイル端末に大いに有益となるアップリンク通信において、特に大きな注目を集めた。それは現在、３ＧＰＰロング・ターム・イボリューション（ＬＴＥ）またはイボルブドＵＴＲＡにおけるアップリンク多元接続スキームのための動作前提である。
【００２２】
図１に示すように、１つの実施形態にしたがう多元接続無線通信システムが例示される。アクセス・ポイント１００（ＡＰ）は、１つは１０４、１０６を含み、他のものは１０８、１１０を含み、さらに他のものは１１２、１１４を含む複数のアンテナ・グループを含んでいる。図１では、おのおののアンテナ・グループについて２本のアンテナしか示されていない。しかしながら、おのおののアンテナ・グループについて、それより多くまたはそれより少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために異なる周波数を使用することができる。例えば、順方向リンク１２０は、逆方向リンク１１８によって使用されるものとは異なる周波数を使用しうる。
【００２３】
通信するように設計された領域および／またはアンテナのおのおののグループは、しばしば、アクセス・ポイントのセクタと称される。実施形態では、おのおののアンテナ・グループは、アクセス・ポイント１００によってカバーされる領域のセクタ内のアクセス端末と通信するように設計される。
【００２４】
順方向リンク１２０、１２６による通信では、アクセス・ポイント１００の送信アンテナは、別のアクセス端末１１６、１２４の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２５】
調整されたマルチ・ポイント（ＣｏＭＰ）システムでは、２つ以上のアクセス・ポイント１００が、アクセス端末（すなわち、ユーザ機器）１１６への送信を調整する。アクセス・ポイントは、サービス提供アクセス・ポイント、または、１または複数の非サービス提供アクセス・ポイント（すなわち、ＡＴ１１６にサービス提供しないアクセス・ポイント）でありうる。ＡＰは、バックホール・ネットワークを介して互いに通信しうる。
【００２６】
アクセス・ポイントは、端末と通信するために使用される固定局であり、アクセス・ポイント、ノードＢ、あるいはその他幾つかの専門用語でも称されうる。アクセス端末はまた、アクセス端末、ユーザ機器（ＵＥ）、無線通信デバイス、端末、アクセス端末、あるいはその他いくつかの専門用語で称されうる。
【００２７】
図２は、ＭＩＭＯシステム２００における送信機システム２１０（アクセス・ポイントとしても知られている）および受信機システム２５０（アクセス端末としても知られている）の実施形態のブロック図である。送信機は、ＣｏＭＰネットワーク内のサービス提供アクセス・ポイントまたは非サービス提供アクセス・ポイントでありうる。送信機システム２１０では、多くのデータ・ストリーム用のトラフィック・データが、データ・ソース２１２から送信（ＴＸ）データ・プロセッサ２１４に提供される。
【００２８】
実施形態では、おのおののデータ・ストリームが、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００２９】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、その後、このデータ・ストリームのために選択された特定の変調スキーム（例えば、ＢＰＳＫ、ＱＰＳＫ、Ｍ−ＰＳＫ、またはＭ−ＱＡＭ）に基づいて変調（すなわち、シンボル・マップ）され、変調シンボルが提供される。おのおののデータ・ストリームのデータ・レート、符号化、および変調は、プロセッサ２３０によって実行される命令群によって決定されうる。
【００３０】
すべてのデータ・ストリームの変調シンボルは、（例えば、ＯＦＤＭのための）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある態様では、ＴＸ  ＭＩＭＯプロセッサ２２０は、データ・ストリームのシンボル、および、そのシンボルが送信されるアンテナへ、ビームフォーミング重みを適用する。
【００３１】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３２】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３３】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、さらに、検出された各シンボル・ストリームを復調、デインタリーブ、および復号し、データ・ストリームのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３４】
プロセッサ２７０は、上述したように、どの事前符号化行列を使用するのかを定期的に決定する。さらに、プロセッサ２７０は、行列インデクス部およびランク値部を備えた逆方向リンク・メッセージを規定することができる。
【００３５】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３６】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどの事前符号化行列を使用するかを決定し、この抽出されたメッセージを処理する。
【００３７】
図３は、多くのユーザをサポートするように構成された無線通信システム３００を例示する。ここでは、開示されたさまざまな実施形態および態様が実現される。図３に示すように、一例として、システム３００は、例えばマクロ・セル３０２ａ−３０２ｇのような複数のセル３０２のための通信を提供する。ここで、おのおののセルは、対応するアクセス・ポイント（ＡＰ）３０４（例えば、ＡＰ３０４ａ−３０４ｇ）によってサービス提供される。おのおののセルはさらに、（例えば、１または複数の周波数をサービス提供するために、）１または複数のセクタへ分割されうる。ユーザ機器（ＵＥ）あるいは移動局としても置換可能に知られており、ＡＴ３０６ａ−３０６ｋを含むさまざまなアクセス端末（ＡＴ）３０６が、システム全体にわたって分布している。
【００３８】
ＵＥ３０６はおのおのの、例えば、ＵＥがアクティブであるか、および、ソフト・ハンドオフにあるかに依存して、所与の瞬間において、順方向リンク（ＦＬ）および／または逆方向リンク（ＲＬ）によって、１または複数のＡＰ３０４と通信することができる。無線通信システム３００は、大きな地理的領域にわたってサービスを提供することができ、例えば、マクロ・セル３０２ａ−３０２ｇは、近隣の数ブロックをカバーしうる。
【００３９】
２つ以上のアクセス・ポイント３０４ａ−ｇが、ＵＥ（すなわち、３０６ｂ）へのＣｏＭＰ送信に参加しうる。ＵＥ３０６ｂからのアップリンク送信は、別のＵＥ（すなわち、３０６ｅ）からの送信と干渉しうる。例えば、この干渉は、ハイブリッド自動反復要求（ＨＡＲＱ）において使用されるアクノレッジメントまたは否定的なアクノレッジメントを含みうる。ある実施形態のために、ＵＥ３０６ｂのサービス提供ＡＰ（すなわち、３０４ｂ）は、干渉を最小化するために、アップリンク・リソースの使用を調整しうる。
【００４０】
本開示のある実施形態は、調整されたマルチ・ポイント（ＣｏＭＰ）システムにおける制御チャネルのために、２つ以上の効率的な設計を提供する。提案された設計によって、ユーザ機器（ＵＥ）は、１または複数のアクセス・ポイント（ＡＰ）から送信を受信すると、１または複数のＡＰへアクノレッジメント（ＡＣＫ）および否定的なアクノレッジメント（ＮＡＣＫ）を送信できるようになる。
【００４１】
１つの実施形態によれば、ダウンリンクＣｏＭＰフレームワークは、複数のノードからの信号がＵＥ受信機において結合された場合におけるチャネル利得の提供、および／または、ノード間干渉の最小化を行う１または複数のＵＥへの、複数のネットワーク・ノード（例えば、アクセス・ポイント、セル、基地局、またはイボルブド・ノードＢ（ｅＮＢ））からの調整された送信を含む。複数のアクセス・ポイントからの調整された送信によって、システムのスループットが高められ、ＵＥにおける信号品質が改善される。
【００４２】
図４は、本開示のある態様にしたがって、ＣｏＭＰ送信を利用する通信システム４００を例示する。例示されるように、アクセス・ポイントＡＰ１、ＡＰ２、およびＡＰ３は、ユーザ設備ＵＥ１、ＵＥ２、およびＵＥ３にそれぞれサービス提供する。アクセス・ポイントＡＰ１、ＡＰ２、およびＡＰ３は、ＵＥ１のためのＣｏＭＰセットに属する。ＣｏＭＰセットは、ＣｏＭＰ送信を用いて、所与のＵＥへ送信するアクセス・ポイントの集合を称する。したがって、ＵＥ１はＡＰ１によってサービス提供されるが、ＣｏＭＰセット内のその他のアクセス・ポイントもまたＵＥ１と通信しうる。
【００４３】
非サービス提供アクセス・ポイントＡＰ２、ＡＰ３は、サービス提供アクセス・ポイントＡＰ１と同じまたは異なるデータをＵＥ１へ送信しうる。アクセス・ポイントは、送信を調整するために、バックホール・ネットワークや無線等によって、ＣｏＭＰセット内の他のアクセス・ポイントと通信しうる。
【００４４】
ハイブリッド自動反復要求（ＨＡＲＱ）動作では、ＡＰがＵＥに信号を送信した場合、ＵＥは、ＡＰに、ＡＣＫ信号またはＮＡＣＫ信号を送信する。ＡＰは、ＮＡＣＫ信号を受信した場合、同じ信号をＵＥへ再送信する。ＨＡＲＱがＣｏＭＰ送信のために使用されている場合、ＡＰのおのおのに送信されたＡＣＫ／ＮＡＣＫ信号は、これらＡＰによってサービス提供されている他のＵＥからのＡＣＫ／ＮＡＣＫ信号と衝突しうる。したがって、衝突を回避するために、ＡＣＫ／ＮＡＣＫ送信のための制御チャネルの効率的な設計のためのニーズがある。
【００４５】
本開示のある実施形態の場合、ＣｏＭＰセット内のＡＰは、調整された送信モードにおけるＵＥのためのＰＵＣＣＨリソースを設定するために、ラジオ・リソース制御（ＲＲＣ）レイヤ（すなわち、レイヤ３）によるシグナリングを使用しうる。ＡＰにおけるＲＲＣレイヤは、例えば、システム情報をブロードキャストすること、ハンドオーバ決定を行うこと、オーバ・ザ・エアによってＵＥに対するページングを行うことと、ＵＥ測定レポートを制御すること等のような異なる機能を有する。レイヤ３シグナリングを利用することによって、ＣｏＭＰセット内のＡＰのおのおのは、ＣｏＭＰ送信において利用されるＰＵＣＣＨリソースを通知されうる。ＵＥは、ＡＰにＡＣＫ／ＮＡＣＫ信号を送信するために、ＰＵＣＣＨリソースを使用しうる。例えば、ＡＰ（例えば、サービス提供ＡＰ）は、他のＡＰ（例えば、非サ-ビス提供ＡＰ）が、調整された送信外のＵＥへリソースを割り当てた場合、これら他のＡＰによって使用される情報を提供しうる。
【００４６】
ある実施形態の場合、ＵＥへの調整された送信に参加しているサービス提供アクセス・ポイント（ＡＰ）以外のＡＰは、物理アップリンク制御チャネル（ＰＵＣＣＨ）リソースを調整しうる。これによって、ＵＥによって送信されたＡＣＫ／ＮＡＣＫ信号は、これらＡＰに関連付けられた他のＵＥからのＡＣＫ／ＮＡＣＫ信号とも衝突しないようになる。衝突は、２つ以上のＵＥが、同じアップリンク・チャネルで同時に信号を送信した場合に生じうる。衝突を回避するために、非サービス提供ＡＰは、ＣｏＭＰ送信において利用されているものと同じＰＵＣＣＨリソースを他のＵＥへ割り当てることを回避しうる。したがって、効率的な動作のために、ＡＰは、ＣｏＭＰセット内のメンバ間でＵＬスケジューリングを調整する必要がある。
【００４７】
ある実施形態の場合、サービス提供ＡＰ以外のＡＰは、ＰＵＣＣＨリソースをクリアしうる。このようなリソースは、このＵＥのためのサービス提供ＡＰの物理ダウンリンク制御チャネル（ＰＤＣＣＨ）で送信された第１の制御チャネル要素（ＣＣＥ）を利用することによって決定されうる。さらに、レイヤ３シグナリングによって受信されたパラメータはまた、ＰＵＣＣＨリソースを決定する際にも使用されうる。非サービス提供ＡＰは、ＣｏＭＰ送信で使用されているものと同じリソースで他のＵＥをスケジューリングしないことによって、ＰＵＣＣＨリソースを「クリア」しうる。
【００４８】
ある実施形態の場合、ＣｏＭＰ送信ポイント（例えば、ＣｏＭＰセット内のＡＰ）は、異なるＨＡＲＱ動作を有しうる。例えば、送信ポイントの、別のセットが、ＵＥから受信したＣＱＩフィードバックに基づいて、（新たな送信を含む）異なる送信に対して設定されうる。なぜなら、ＣｏＭＰセット内のＡＰとＵＥとの間のチャネルは、異なる送信のために異なりうるからである。
【００４９】
ある実施形態の場合、ＨＡＲＱは、サービス提供ＡＰからのＣｏＭＰ送信のためにイネーブルされ、非サービス提供ＡＰからのＣｏＭＰ送信のためにディセーブルされうる。例えば、ＨＡＲＱ動作は、サービス提供ＡＰからの指示に応じて、非サービス提供ＡＰにおいてディセーブルされうる。したがって、ＵＥは、サービス提供ＡＰからパケットを受信すると、ＰＵＣＣＨを介してサービス提供ＡＰへＡＣＫ信号またはＮＡＣＫ信号を送信することによって応答しうる。
【００５０】
ある実施形態の場合、非サービス提供ＡＰは、おのおののダウンリンクＣｏＭＰ送信を、一度だけのイベントとして取り扱いうる。したがって、サービス提供ＡＰのみが、再送信を調整することに責任を持つ。非サービス提供ＡＰは、サービス提供ＡＰによってＵＥへ送信されたものと同じデータ・パケットを送信しうる。したがって、ＵＥが、非サービス提供ＡＰのうちの１つからもパケットを受信しないのであれば、ＵＥは、サービス提供ＡＰおよびその他の非サービス提供ＡＰから同じパケットを受信しうる。ＵＥによって受信されたすべてのデータ・パケットを確認するために、サービス提供ＡＰは、再送信を調整することに責任を持つ。
【００５１】
図５は、本開示のある態様にしたがって、アップリンク制御チャネルの効率的な復号のために、ＣｏＭＰセットのサービス提供ＡＰによって実行されうる動作５００の例を例示する。５０２において、サービス提供ＡＰは、ＣｏＭＰセット内の複数のＡＰから送信された統合ＣｏＭＰ送信のアクノレッジメントのために、第１のＵＥに割り当てられたアップリンク・リソースに関する情報を、ＣｏＭＰセットの非サービス提供ＡＰへ送信する。サービス提供ＡＰは、ＵＥにリソースを割り当て、割り当てられたリソースを、バックホール・ネットワークを介して他のＡＰへ通信しうる。５０４では、サービス提供ＡＰが、第１のＵＥへのダウンリンク送信を、統合ＣｏＭＰ送信の一部として送信する。５０６では、ダウンリンク送信がＵＥによって正しく受信されない場合、サービス提供ＡＰは、ダウンリンク送信に関する情報を非サービス提供ＡＰへ送信し、非サービス提供ＡＰに対して、ダウンリンク送信を再送信するように要求しうる。
【００５２】
図６は、本開示のある態様にしたがって、アップリンク制御チャネルの効率的な復号のために、ＣｏＭＰセットの非サービス提供ＡＰによって実行されうる動作６００の例を例示する。６０２では、非サービス提供ＡＰが、ＣｏＭＰセットのサービス提供アクセス・ポイント（ＡＰ）から、ＣｏＭＰセット内の複数のＡＰから送信された統合ＣｏＭＰ送信のアクノレッジメントのために第１のＵＥへ割り当てられたアップリンク・リソースに関する情報を受信する。この情報は、バックホール・ネットワークを介して受信されうる。
【００５３】
６０４では、非サービス提供ＡＰが、第１のＵＥへのダウンリンク送信を、統合ＣｏＭＰ送信の一部として送信する。このダウンリンク送信は、サービス提供ＡＰによってＵＥへ送信されたものと同じデータを含みうる。
【００５４】
６０６では、非サービス提供ＡＰは、第１のＵＥからの統合ＣｏＭＰ送信のアクノレッジメントとの干渉を低減するために、サービス提供ＡＰから受信した情報に基づいて、１または複数の動作を行いうる。非サービス提供ＡＰは、第１のＵＥから送信されたアクノレッジメントと潜在的に干渉しうる１または複数の第２のＵＥへのアップリンク・リソースの割り当てを回避しうる。例えば、非サービス提供ＡＰは、アクノレッジメントを送信するために第１のＵＥへ割り当てられたアップリンク・リソースとオーバラップするアクノレッジメントを送信するために、第２のＵＥへのアップリンク・リソースの割り当てを回避しうる。非サービス提供ＡＰによってなされる別の動作は、ディセーブルされたＨＡＲＱを用いて、１または複数のＵＥへダウンリンク送信を送りうる。したがって、ダウンリンク送信がＵＥによって正しく受信されない場合、非サービス提供ＡＰは、サービス提供ＡＰから、ダウンリンク送信の再送信に関する情報を受信しうる。
【００５５】
例えば、ＣｏＭＰセットのサービス提供ＡＰは、非サービス提供ＡＰに対して、パケット送信を、一度だけのイベントとして取り扱うように指示しうる。したがって、非サービス提供ＡＰは、ＵＥからＡＣＫメッセージまたはＮＡＣＫメッセージを受信することを期待しない。ＵＥは、パケットを正しく受信した場合、このパケットをサービス提供ＡＰおよびＣｏＭＰセット内の他のＡＰから受信したパケットの他のコピーを用いて処理するだろう。ＵＥがパケットを正しく受信しなかった場合、ＵＥは、このパケットを無視し、サービス提供ＡＰから、および、恐らくは、ＣｏＭＰセット内の他のＡＰからのパケットの他のコピーのみを処理しうる。
【００５６】
図７は、本開示のある実施形態にしたがって、ＣｏＭＰ通信におけるアップリンク・リソース割当を調整するシステムの例を例示する。例示するように、サービス提供アクセス・ポイント７０２は、無線デバイス７０６へも同等にデータを送信するために、非サービス提供アクセス・ポイントと通信しうる。サービス提供アクセス・ポイント７０２は、アップリンク・リソース割当モジュール７１０、ＨＡＲＱモジュール７１２、ＣｏＭＰ調整モジュール７１４、および、送信／受信モジュール７１６を含みうる。アップリンク・リソース割当モジュール７１０は、ＵＥにアップリンク・リソースを割り当てうる。ＣｏＭＰ調整モジュール７１４は、割り当てられたリソースおよびデータに関する情報を、ＣｏＭＰセット内の他のＡＰへ送信しうる。ＨＡＲＱモジュールは、ＨＡＲＱ動作におけるデータの再送信の調節を担当する。送信／受信モジュール７１６は、ＵＥへデータおよび制御情報を送信し、ＵＥからＡＣＫ／ＮＡＣＫメッセージを受信する。
【００５７】
非サービス提供アクセス・ポイント７０４もまた、アップリンク・リソース割当モジュール７２０、ＨＡＲＱモジュール７２２、ＣｏＭＰ調整モジュール７２４、および送信／受信モジュール７２６を有しうる。非サービス提供アクセス・ポイントのアップリンク・リソース割当モジュール７２０は、衝突を回避するために、ＣｏＭＰ送信のためにＵＥに割り当てられたアップリンク・リソースをクリアしうる。例えば、非サービス提供アクセス・ポイント７０４は、無線デバイス７０６、７０８からの送信が衝突しないように、無線デバイス７０８に別のリソースを割り当てうる。ＨＡＲＱモジュール７２２におけるＨＡＲＱ動作は、非サービス提供アクセス・ポイントのためにディセーブルされうる。したがって、非サービス提供アクセス・ポイントは、おのおののＣｏＭＰ送信を、一度だけのイベントとして取り扱いうる。ＣｏＭＰ調整モジュール７２４は、サービス提供アクセス・ポイント７０２から制御およびデータを受信し、送信／受信モジュール７２６による無線デバイス７０６へのデータの送信を調整しうる。
【００５８】
本明細書で使用される場合、用語「判定すること（ｄｅｔｅｒｍｉｎｉｎｇ）」は、さまざまな動作を含む。例えば、「判定すること」は、計算、コンピューティング、処理、導出、調査、ルックアップ（例えば、テーブル、データベース、または他のデータ構造内のルックアップ）、確認等を含むことができる。また、「判定すること」は、受信（例えば、情報の受信）、アクセス（例えば、メモリ内のデータへのアクセス）等を含むことができる。また、「判定すること」は、解決、選択、選定、確立等を含むことができる。
【００５９】
情報および信号を、さまざまな異なる技術および技法のいずれかを使用して表すことができる。例えば、上記説明全体を通じて称されうるデータ、命令、コマンド、情報、信号等を、電圧、電流、電磁波、磁場または磁性粒子、光場または光粒子、あるいはその任意の組合せによって表すことができる。
【００６０】
本開示に関して記載された例示的なさまざまな論理ブロック、モジュール、および回路は、汎用プロセッサ、デジタル信号プロセッサ（ＤＳＰ）、特定用途向け集積回路（ＡＳＩＣ）、フィールド・プログマブル・ゲート・アレイ信号（ＦＰＧＡ）またはその他のプログラマブル論理回路、ディスクリート・ゲートまたはトランジスタ・ロジック、ディスクリート・ハードウェア構成要素、または、本明細書に記載された機能を実行するように設計されたこれら任意の組み合わせを用いて実施または実行されうる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６１】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００６２】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００６３】
記載された機能は、ハードウェア、ソフトウェア、ファームウェア、またはこれら任意の組み合わせによって実現されうる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。ディスク（ｄｉｓｋおよびｄｉｓｃ）は、本明細書で使用される場合、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含み、ｄｉｓｋは、通常は磁気的にデータを再生し、ｄｉｓｃは、レーザを用いて光学的にデータを再生する。
【００６４】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００６５】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００６６】
特許請求の範囲は、上述した正確な構成および構成要素に限定されないことを理解されたい。さまざまな修正、変更、および変形を、特許請求の範囲の範囲から逸脱せずに、前述した方法および装置の構成、動作、および詳細において実施することができる。
【００６７】
前述したものは、本開示の実施形態に向けられているが、これら開示のその他およびさらなる実施形態が、本願の基本的な範囲から逸脱することなく考案され、この範囲は、以下に示す特許請求の範囲によって決定される。
【図１】
2014014109.tif 000003
【図２】
2014014109.tif 000004
【図３】
2014014109.tif 000005
【図４】
2014014109.tif 000006
【図５】
2014014109.tif 000007
【図６】
2014014109.tif 000008
【図７】
2014014109.tif 000009
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
調整されたマルチ・ポイント（ＣｏＭＰ）セットの非サービス提供アクセス・ポイント（ＡＰ）による無線通信のための方法であって、
前記ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、前記ＣｏＭＰセットのサービス提供ＡＰから受信することと、
前記第１のＵＥへのダウンリンク送信を、前記統合ＣｏＭＰ送信の一部として送信することと、
前記第１のＵＥからの前記統合ＣｏＭＰ送信のアクノレッジメントとの干渉を低減するために、前記サービス提供ＡＰから受信した情報に基づいて、１または複数の動作を行うことと、
を備え、前記１または複数の動作は、ディセーブルされたハイブリッド自動反復要求（ＨＡＲＱ）を用いて、１または複数のＵＥへダウンリンク送信を送ることを含み、前記統合ＣｏＭＰ送信は、イネーブルされたＨＡＲＱを用いた、前記サービス提供ＡＰから前記１または複数のＵＥへのダウンリンク送信を含む、方法。
【請求項２】
前記情報は、前記第１のＵＥに割り当てられた物理アップリンク制御チャネル（ＰＵＣＣＨ）リソースを示すインジケーションを備える、請求項１に記載の方法。
【請求項３】
前記情報は、前記サービス提供ＡＰによって、物理ダウンリンク制御チャネル（ＰＤＣＣＨ）の制御チャネル要素（ＣＣＥ）で送信される、請求項１に記載の方法。
【請求項４】
前記情報は、ラジオ・リソース制御（ＲＲＣ）シグナリングによって受信される、請求項１に記載の方法。
【請求項５】
前記１または複数の動作を行うことは、前記第１のＵＥから送信されたアクノレッジメントと潜在的に干渉しうる１または複数の第２のＵＥへのアップリンク・リソースの割り当てを回避することを備える、請求項１に記載の方法。
【請求項６】
前記第１のＵＥから送信されたアクノレッジメントと潜在的に干渉しうる１または複数の第２のＵＥへのアップリンク・リソースの割り当てを回避することは、前記アクノレッジメントを送信するために前記第１のＵＥへ割り当てられたアップリンク・リソースとオーバラップするアップリンク・リソースを、アクノレッジメントを送信するために前記第２のＵＥへ割り当てることを回避することを備える、請求項５に記載の方法。
【請求項７】
前記ダウンリンク送信の再送信に関する情報を、前記サービス提供ＡＰから受信することをさらに備える、請求項１に記載の方法。
【請求項８】
調整されたマルチ・ポイント（ＣｏＭＰ）セットのサービス提供アクセス・ポイント（ＡＰ）による無線通信のための方法であって、
前記ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、前記ＣｏＭＰセットの非サービス提供ＡＰへ送信することと、
前記ＣｏＭＰセットの前記非サービス提供ＡＰに、前記非サービス提供ＡＰから前記ＵＥへのダウンリンク送信のためにハイブリッド自動反復要求（ＨＡＲＱ）動作をディセーブルにするための指示を送信することと、
前記ＵＥへのダウンリンク送信を、イネーブルされたＨＡＲＱ動作を用いて、前記統合ＣｏＭＰ送信の一部として送信することと、
を備える方法。
【請求項９】
前記情報は、前記ＵＥに割り当てられた物理アップリンク制御チャネル（ＰＵＣＣＨ）リソースを示すインジケーションを備える、請求項８に記載の方法。
【請求項１０】
前記情報は、物理ダウンリンク制御チャネル（ＰＤＣＣＨ）の制御チャネル要素（ＣＣＥ）で送信される、請求項８に記載の方法。
【請求項１１】
前記情報は、ラジオ・リソース制御（ＲＲＣ）シグナリングによって送信される、請求項８に記載の方法。
【請求項１２】
前記ＵＥからのアクノレッジメントが受信されない場合、前記ダウンリンク送信の再送信に関する情報を、非サービス提供ＡＰへ送信することをさらに備える、請求項８に記載の方法。
【請求項１３】
調整されたマルチ・ポイント（ＣｏＭＰ）セットの非サービス提供アクセス・ポイント（ＡＰ）による無線通信のための装置であって、
前記ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、前記ＣｏＭＰセットのサービス提供アクセス・ポイントから受信し、
前記第１のＵＥへのダウンリンク送信を、前記統合ＣｏＭＰ送信の一部として送信し、
前記第１のＵＥからの前記統合ＣｏＭＰ送信のアクノレッジメントとの干渉を低減するために、前記サービス提供ＡＰから受信した情報に基づいて、１または複数の動作を行う、
ように構成された少なくとも１つのプロセッサと、
前記少なくとも１つのプロセッサに接続されたメモリと、
を備え、前記１または複数の動作は、ディセーブルされたハイブリッド自動反復要求（ＨＡＲＱ）を用いて、１または複数のＵＥへダウンリンク送信を送ることを含み、前記統合ＣｏＭＰ送信は、イネーブルされたＨＡＲＱを用いた、前記サービス提供ＡＰから前記１または複数のＵＥへのダウンリンク送信を含む、装置。
【請求項１４】
前記情報は、前記第１のＵＥに割り当てられた物理アップリンク制御チャネル（ＰＵＣＣＨ）リソースを示すインジケーションを備える、請求項１３に記載の装置。
【請求項１５】
前記情報は、前記サービス提供ＡＰによって、物理ダウンリンク制御チャネル（ＰＤＣＣＨ）の制御チャネル要素（ＣＣＥ）で送信される、請求項１３に記載の装置。
【請求項１６】
前記情報は、ラジオ・リソース制御（ＲＲＣ）シグナリングによって受信される、請求項１３に記載の装置。
【請求項１７】
前記１または複数の動作を行うように構成された少なくとも１つのプロセッサはさらに、前記第１のＵＥから送信されたアクノレッジメントと潜在的に干渉しうる１または複数の第２のＵＥへのアップリンク・リソースの割り当てを回避するように構成された、請求項１３に記載の装置。
【請求項１８】
前記第１のＵＥから送信されたアクノレッジメントと潜在的に干渉しうる１または複数の第２のＵＥへのアップリンク・リソースの割り当てを回避するように構成された少なくとも１つのプロセッサはさらに、前記アクノレッジメントを送信するために前記第１のＵＥへ割り当てられたアップリンク・リソースとオーバラップするアップリンク・リソースを、アクノレッジメントを送信するために前記第２のＵＥへ割り当てることを回避するように構成された、請求項１７に記載の装置。
【請求項１９】
前記少なくとも１つのプロセッサはさらに、前記ダウンリンク送信の再送信に関する情報を、前記サービス提供ＡＰから受信するように構成された、請求項１３に記載の装置。
【請求項２０】
調整されたマルチ・ポイント（ＣｏＭＰ）セットのサービス提供アクセス・ポイント（ＡＰ）による無線通信のための装置であって、
前記ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、前記ＣｏＭＰセットの非サービス提供アクセス・ポイントへ送信し、
前記ＣｏＭＰセットの前記非サービス提供ＡＰに、前記非サービス提供ＡＰから前記ＵＥへのダウンリンク送信のためにハイブリッド自動反復要求（ＨＡＲＱ）動作をディセーブルにするための指示を送信し、
前記ＵＥへのダウンリンク送信を、イネーブルされたＨＡＲＱ動作を用いて、前記統合ＣｏＭＰ送信の一部として送信する、
ように構成された少なくとも１つのプロセッサと、
前記少なくとも１つのプロセッサに接続されたメモリと、
を備える装置。
【請求項２１】
前記情報は、前記ＵＥに割り当てられた物理アップリンク制御チャネル（ＰＵＣＣＨ）リソースを示すインジケーションを備える、請求項２０に記載の装置。
【請求項２２】
前記情報は、物理ダウンリンク制御チャネル（ＰＤＣＣＨ）の制御チャネル要素（ＣＣＥ）で送信される、請求項２０に記載の装置。
【請求項２３】
前記情報は、ラジオ・リソース制御（ＲＲＣ）シグナリングによって送信される、請求項２０に記載の装置。
【請求項２４】
前記少なくとも１つのプロセッサはさらに、前記ＵＥからのアクノレッジメントが受信されない場合、前記ダウンリンク送信の再送信に関する情報を、非サービス提供ＡＰへ送信するように構成された、請求項２０に記載の装置。
【請求項２５】
調整されたマルチ・ポイント（ＣｏＭＰ）セットの非サービス提供アクセス・ポイント（ＡＰ）による無線通信のための装置であって、
前記ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、前記ＣｏＭＰセットのサービス提供ＡＰから受信する手段と、
前記第１のＵＥへのダウンリンク送信を、前記統合ＣｏＭＰ送信の一部として送信する手段と、
前記第１のＵＥからの前記統合ＣｏＭＰ送信のアクノレッジメントとの干渉を低減するために、前記サービス提供ＡＰから受信した情報に基づいて、１または複数の動作を行う手段と、
を備え、前記１または複数の動作を行う手段は、ディセーブルされたハイブリッド自動反復要求（ＨＡＲＱ）を用いて、１または複数のＵＥへダウンリンク送信を送る手段を含み、前記統合ＣｏＭＰ送信は、イネーブルされたＨＡＲＱを用いた、前記サービス提供ＡＰから前記１または複数のＵＥへのダウンリンク送信を含む、装置。
【請求項２６】
前記情報は、前記第１のＵＥに割り当てられた物理アップリンク制御チャネル（ＰＵＣＣＨ）リソースを示すインジケーションを備える、請求項２５に記載の装置。
【請求項２７】
前記情報は、前記サービス提供ＡＰによって、物理ダウンリンク制御チャネル（ＰＤＣＣＨ）の制御チャネル要素（ＣＣＥ）で送信される、請求項２５に記載の装置。
【請求項２８】
前記情報は、ラジオ・リソース制御（ＲＲＣ）シグナリングによって受信される、請求項２５に記載の装置。
【請求項２９】
前記１または複数の動作を行う手段は、前記第１のＵＥから送信されたアクノレッジメントと潜在的に干渉しうる１または複数の第２のＵＥへのアップリンク・リソースの割り当てを回避する手段を備える、請求項２５に記載の装置。
【請求項３０】
前記第１のＵＥから送信されたアクノレッジメントと潜在的に干渉しうる１または複数の第２のＵＥへのアップリンク・リソースの割り当てを回避する手段は、前記アクノレッジメントを送信するために前記第１のＵＥへ割り当てられたアップリンク・リソースとオーバラップするアップリンク・リソースを、アクノレッジメントを送信するために前記第２のＵＥへ割り当てることを回避する手段を備える、請求項２９に記載の装置。
【請求項３１】
前記ダウンリンク送信の再送信に関する情報を、前記サービス提供ＡＰから受信する手段をさらに備える、請求項２５に記載の装置。
【請求項３２】
調整されたマルチ・ポイント（ＣｏＭＰ）セットのサービス提供アクセス・ポイント（ＡＰ）による無線通信のための装置であって、
前記ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、前記ＣｏＭＰセットの非サービス提供アクセス・ポイントへ送信する手段と、
前記ＣｏＭＰセットの前記非サービス提供ＡＰに、前記非サービス提供ＡＰから前記ＵＥへのダウンリンク送信のためにハイブリッド自動反復要求（ＨＡＲＱ）動作をディセーブルにするための指示を送信する手段と、
前記ＵＥへのダウンリンク送信を、イネーブルされたＨＡＲＱ動作を用いて、前記統合ＣｏＭＰ送信の一部として送信する手段と、
を備える装置。
【請求項３３】
前記情報は、前記ＵＥに割り当てられた物理アップリンク制御チャネル（ＰＵＣＣＨ）リソースを示すインジケーションを備える、請求項３２に記載の装置。
【請求項３４】
前記情報は、物理ダウンリンク制御チャネル（ＰＤＣＣＨ）の制御チャネル要素（ＣＣＥ）で送信される、請求項３２に記載の装置。
【請求項３５】
前記情報は、ラジオ・リソース制御（ＲＲＣ）シグナリングによって送信される、請求項３２に記載の装置。
【請求項３６】
前記ＵＥからのアクノレッジメントが受信されない場合、前記ダウンリンク送信の再送信に関する情報を、非サービス提供ＡＰへ送信する手段をさらに備える、請求項３２に記載の装置。
【請求項３７】
調整されたマルチ・ポイント（ＣｏＭＰ）セットの非サービス提供アクセス・ポイント（ＡＰ）による無線通信のための命令群が記憶されたコンピュータ読取可能な記憶媒体であって、前記命令群は、１または複数のプロセッサによって実行可能であり、前記命令群は、
前記ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、前記ＣｏＭＰセットのサービス提供ＡＰから受信するための命令群と、
前記第１のＵＥへのダウンリンク送信を、前記統合ＣｏＭＰ送信の一部として送信するための命令群と、
前記第１のＵＥからの前記統合ＣｏＭＰ送信のアクノレッジメントとの干渉を低減するために、前記サービス提供ＡＰから受信した情報に基づいて、１または複数の動作を行うための命令群と、
を備え、前記１または複数の動作を行うための命令群は、ディセーブルされたハイブリッド自動反復要求（ＨＡＲＱ）を用いて、１または複数のＵＥへダウンリンク送信を送るための命令群を含み、前記統合ＣｏＭＰ送信は、イネーブルされたＨＡＲＱを用いた、前記サービス提供ＡＰから前記１または複数のＵＥへのダウンリンク送信を含む、コンピュータ読取可能な記憶媒体。
【請求項３８】
前記情報は、前記第１のＵＥに割り当てられた物理アップリンク制御チャネル（ＰＵＣＣＨ）リソースを示すインジケーションを備える、請求項３７に記載のコンピュータ読取可能な記憶媒体。
【請求項３９】
前記情報は、前記サービス提供ＡＰによって、物理ダウンリンク制御チャネル（ＰＤＣＣＨ）の制御チャネル要素（ＣＣＥ）で送信される、請求項３７に記載のコンピュータ読取可能な記憶媒体。
【請求項４０】
前記情報は、ラジオ・リソース制御（ＲＲＣ）シグナリングによって受信される、請求項３７に記載のコンピュータ読取可能な記憶媒体。
【請求項４１】
前記１または複数の動作を行うための命令群は、前記第１のＵＥから送信されたアクノレッジメントと潜在的に干渉しうる１または複数の第２のＵＥへのアップリンク・リソースの割り当てを回避するための命令群を備える、請求項３７に記載のコンピュータ読取可能な記憶媒体。
【請求項４２】
前記第１のＵＥから送信されたアクノレッジメントと潜在的に干渉しうる１または複数の第２のＵＥへのアップリンク・リソースの割り当てを回避するための命令群は、前記アクノレッジメントを送信するために前記第１のＵＥへ割り当てられたアップリンク・リソースとオーバラップするアップリンク・リソースを、アクノレッジメントを送信するために前記第２のＵＥへ割り当てることを回避するための命令群を備える、請求項４１に記載のコンピュータ読取可能な記憶媒体。
【請求項４３】
前記ダウンリンク送信の再送信に関する情報を、前記サービス提供ＡＰから受信するための命令群をさらに備える、請求項３７に記載のコンピュータ読取可能な記憶媒体。
【請求項４４】
調整されたマルチ・ポイント（ＣｏＭＰ）セットのサービス提供アクセス・ポイント（ＡＰ）による無線通信のための命令群を記憶したコンピュータ読取可能な記憶媒体であって、前記命令群は、１または複数のプロセッサによって実行可能であり、前記命令群は、
前記ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、前記ＣｏＭＰセットの非サービス提供アクセス・ポイントへ送信するための命令群と、
前記ＣｏＭＰセットの前記非サービス提供ＡＰに、前記非サービス提供ＡＰから前記ＵＥへのダウンリンク送信のためにハイブリッド自動反復要求（ＨＡＲＱ）動作をディセーブルにするための指示を送信するための命令群と、
前記ＵＥへのダウンリンク送信を、イネーブルされたＨＡＲＱ動作を用いて、前記統合ＣｏＭＰ送信の一部として送信するための命令群と、
を備えるコンピュータ読取可能な記憶媒体。
【請求項４５】
前記情報は、前記ＵＥに割り当てられた物理アップリンク制御チャネル（ＰＵＣＣＨ）リソースを示すインジケーションを備える、請求項４４に記載のコンピュータ読取可能な記憶媒体。
【請求項４６】
前記情報は、物理ダウンリンク制御チャネル（ＰＤＣＣＨ）の制御チャネル要素（ＣＣＥ）で送信される、請求項４４に記載のコンピュータ読取可能な記憶媒体。
【請求項４７】
前記情報は、ラジオ・リソース制御（ＲＲＣ）シグナリングによって送信される、請求項４４に記載のコンピュータ読取可能な記憶媒体。
【請求項４８】
前記ＵＥからのアクノレッジメントが受信されない場合、前記ダウンリンク送信の再送信に関する情報を、非サービス提供ＡＰへ送信するための命令群をさらに備える、請求項４４に記載のコンピュータ読取可能な記憶媒体。
【手続補正２】
【補正対象書類名】明細書
【補正対象項目名】００６７
【補正方法】変更
【補正の内容】
【００６７】
前述したものは、本開示の実施形態に向けられているが、これら開示のその他およびさらなる実施形態が、本願の基本的な範囲から逸脱することなく考案され、この範囲は、以下に示す特許請求の範囲によって決定される。
なお、以下に、出願当初の特許請求の範囲に記載された発明を付記する。
［発明１］調整されたマルチ・ポイント（ＣｏＭＰ）セットの非サービス提供アクセス・ポイント（ＡＰ）による無線通信のための方法であって、
前記ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、前記ＣｏＭＰセットのサービス提供ＡＰから受信することと、
前記第１のＵＥへのダウンリンク送信を、前記統合ＣｏＭＰ送信の一部として送信することと、
前記第１のＵＥからの前記統合ＣｏＭＰ送信のアクノレッジメントとの干渉を低減するために、前記サービス提供ＡＰから受信した情報に基づいて、１または複数の動作を行うことと、
を備える方法。
［発明２］前記情報は、前記第１のＵＥに割り当てられた物理アップリンク制御チャネル（ＰＵＣＣＨ）リソースを示すインジケーションを備える、発明１に記載の方法。
［発明３］前記情報は、前記サービス提供ＡＰによって、物理ダウンリンク制御チャネル（ＰＤＣＣＨ）の制御チャネル要素（ＣＣＥ）で送信される、発明１に記載の方法。
［発明４］前記情報は、ラジオ・リソース制御（ＲＲＣ）シグナリングによって受信される、発明１に記載の方法。
［発明５］前記１または複数の動作を行うことは、前記第１のＵＥから送信されたアクノレッジメントと潜在的に干渉しうる１または複数の第２のＵＥへのアップリンク・リソースの割り当てを回避することを備える、発明１に記載の方法。
［発明６］前記第１のＵＥから送信されたアクノレッジメントと潜在的に干渉しうる１または複数の第２のＵＥへのアップリンク・リソースの割り当てを回避することは、前記アクノレッジメントを送信するために前記第１のＵＥへ割り当てられたアップリンク・リソースとオーバラップするアクノレッジメントを送信するために、前記第２のＵＥへのアップリンク・リソースの割り当てを回避することを備える、発明５に記載の方法。
［発明７］前記１または複数の動作を行うことは、ディセーブルされたハイブリッド自動反復要求（ＨＡＲＱ）を用いて、１または複数のＵＥへダウンリンク送信を送ることを備える、発明１に記載の方法。
［発明８］前記ダウンリンク送信の再送信に関する情報を、前記サービス提供ＡＰから受信することをさらに備える、発明７に記載の方法。
［発明９］調整されたマルチ・ポイント（ＣｏＭＰ）セットのサービス提供アクセス・ポイント（ＡＰ）による無線通信のための方法であって、
前記ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、前記ＣｏＭＰセットの非サービス提供ＡＰへ送信することと、
前記ＵＥへのダウンリンク送信を、前記統合ＣｏＭＰ送信の一部として送信することと、
を備える方法。
［発明１０］前記情報は、前記ＵＥに割り当てられた物理アップリンク制御チャネル（ＰＵＣＣＨ）リソースを示すインジケーションを備える、発明９に記載の方法。
［発明１１］前記情報は、物理ダウンリンク制御チャネル（ＰＤＣＣＨ）の制御チャネル要素（ＣＣＥ）で送信される、発明９に記載の方法。
［発明１２］前記情報は、ラジオ・リソース制御（ＲＲＣ）シグナリングによって送信される、発明９に記載の方法。
［発明１３］前記ＵＥからのアクノレッジメントが受信されない場合、前記ダウンリンク送信の再送信に関する情報を、非サービス提供ＡＰへ送信することをさらに備える、発明９に記載の方法。
［発明１４］調整されたマルチ・ポイント（ＣｏＭＰ）セットの非サービス提供アクセス・ポイント（ＡＰ）による無線通信のための装置であって、
前記ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、前記ＣｏＭＰセットのサービス提供アクセス・ポイントから受信し、
前記第１のＵＥへのダウンリンク送信を、前記統合ＣｏＭＰ送信の一部として送信し、
前記第１のＵＥからの前記統合ＣｏＭＰ送信のアクノレッジメントとの干渉を低減するために、前記サービス提供ＡＰから受信した情報に基づいて、１または複数の動作を行う、
ように構成された少なくとも１つのプロセッサと、
前記少なくとも１つのプロセッサに接続されたメモリと、
を備える装置。
［発明１５］前記情報は、前記第１のＵＥに割り当てられた物理アップリンク制御チャネル（ＰＵＣＣＨ）リソースを示すインジケーションを備える、発明１４に記載の装置。
［発明１６］前記情報は、前記サービス提供ＡＰによって、物理ダウンリンク制御チャネル（ＰＤＣＣＨ）の制御チャネル要素（ＣＣＥ）で送信される、発明１４に記載の装置。
［発明１７］前記情報は、ラジオ・リソース制御（ＲＲＣ）シグナリングによって受信される、発明１４に記載の装置。
［発明１８］前記１または複数の動作を行うように構成された少なくとも１つのプロセッサはさらに、前記第１のＵＥから送信されたアクノレッジメントと潜在的に干渉しうる１または複数の第２のＵＥへのアップリンク・リソースの割り当てを回避するように構成された、発明１４に記載の装置。
［発明１９］前記第１のＵＥから送信されたアクノレッジメントと潜在的に干渉しうる１または複数の第２のＵＥへのアップリンク・リソースの割り当てを回避するように構成された少なくとも１つのプロセッサはさらに、前記アクノレッジメントを送信するために前記第１のＵＥへ割り当てられたアップリンク・リソースとオーバラップするアクノレッジメントを送信するために、前記第２のＵＥへのアップリンク・リソースの割り当てを回避するように構成された、発明１８に記載の装置。
［発明２０］前記１または複数の動作を行うように構成された少なくとも１つのプロセッサはさらに、ディセーブルされたハイブリッド自動反復要求（ＨＡＲＱ）を用いて、１または複数のＵＥへダウンリンク送信を送るように構成された、発明１４に記載の装置。
［発明２１］前記少なくとも１つのプロセッサはさらに、前記ダウンリンク送信の再送信に関する情報を、前記サービス提供ＡＰから受信するように構成された、発明２０に記載の装置。
［発明２２］調整されたマルチ・ポイント（ＣｏＭＰ）セットのサービス提供アクセス・ポイント（ＡＰ）による無線通信のための装置であって、
前記ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、前記ＣｏＭＰセットの非サービス提供アクセス・ポイントへ送信し、
前記ＵＥへのダウンリンク送信を、前記統合ＣｏＭＰ送信の一部として送信する、
ように構成された少なくとも１つのプロセッサと、
前記少なくとも１つのプロセッサに接続されたメモリと、
を備える装置。
［発明２３］前記情報は、前記ＵＥに割り当てられた物理アップリンク制御チャネル（ＰＵＣＣＨ）リソースを示すインジケーションを備える、発明２２に記載の装置。
［発明２４］前記情報は、物理ダウンリンク制御チャネル（ＰＤＣＣＨ）の制御チャネル要素（ＣＣＥ）で送信される、発明２２に記載の装置。
［発明２５］前記情報は、ラジオ・リソース制御（ＲＲＣ）シグナリングによって送信される、発明２２に記載の装置。
［発明２６］前記少なくとも１つのプロセッサはさらに、前記ＵＥからのアクノレッジメントが受信されない場合、前記ダウンリンク送信の再送信に関する情報を、非サービス提供ＡＰへ送信するように構成された、発明２２に記載の装置。
［発明２７］調整されたマルチ・ポイント（ＣｏＭＰ）セットの非サービス提供アクセス・ポイント（ＡＰ）による無線通信のための装置であって、
前記ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、前記ＣｏＭＰセットのサービス提供ＡＰから受信する手段と、
前記第１のＵＥへのダウンリンク送信を、前記統合ＣｏＭＰ送信の一部として送信する手段と、
前記第１のＵＥからの前記統合ＣｏＭＰ送信のアクノレッジメントとの干渉を低減するために、前記サービス提供ＡＰから受信した情報に基づいて、１または複数の動作を行う手段と、
を備える装置。
［発明２８］前記情報は、前記第１のＵＥに割り当てられた物理アップリンク制御チャネル（ＰＵＣＣＨ）リソースを示すインジケーションを備える、発明２７に記載の装置。
［発明２９］前記情報は、前記サービス提供ＡＰによって、物理ダウンリンク制御チャネル（ＰＤＣＣＨ）の制御チャネル要素（ＣＣＥ）で送信される、発明２７に記載の装置。
［発明３０］前記情報は、ラジオ・リソース制御（ＲＲＣ）シグナリングによって受信される、発明２７に記載の装置。
［発明３１］前記１または複数の動作を行う手段は、前記第１のＵＥから送信されたアクノレッジメントと潜在的に干渉しうる１または複数の第２のＵＥへのアップリンク・リソースの割り当てを回避する手段を備える、発明２７に記載の装置。
［発明３２］前記第１のＵＥから送信されたアクノレッジメントと潜在的に干渉しうる１または複数の第２のＵＥへのアップリンク・リソースの割り当てを回避する手段は、前記アクノレッジメントを送信するために前記第１のＵＥへ割り当てられたアップリンク・リソースとオーバラップするアクノレッジメントを送信するために、前記第２のＵＥへのアップリンク・リソースの割り当てを回避する手段を備える、発明３１に記載の装置。
［発明３３］前記１または複数の動作を行う手段は、ディセーブルされたハイブリッド自動反復要求（ＨＡＲＱ）を用いて、１または複数のＵＥへダウンリンク送信を送る手段を備える、発明２７に記載の装置。
［発明３４］前記ダウンリンク送信の再送信に関する情報を、前記サービス提供ＡＰから受信する手段をさらに備える、発明３３に記載の装置。
［発明３５］調整されたマルチ・ポイント（ＣｏＭＰ）セットのサービス提供アクセス・ポイント（ＡＰ）による無線通信のための装置であって、
前記ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、前記ＣｏＭＰセットの非サービス提供アクセス・ポイントへ送信する手段と、
前記ＵＥへのダウンリンク送信を、前記統合ＣｏＭＰ送信の一部として送信する手段と、
を備える装置。
［発明３６］前記情報は、前記ＵＥに割り当てられた物理アップリンク制御チャネル（ＰＵＣＣＨ）リソースを示すインジケーションを備える、発明３５に記載の装置。
［発明３７］前記情報は、物理ダウンリンク制御チャネル（ＰＤＣＣＨ）の制御チャネル要素（ＣＣＥ）で送信される、発明３５に記載の装置。
［発明３８］前記情報は、ラジオ・リソース制御（ＲＲＣ）シグナリングによって送信される、発明３５に記載の装置。
［発明３９］前記ＵＥからのアクノレッジメントが受信されない場合、前記ダウンリンク送信の再送信に関する情報を、非サービス提供ＡＰへ送信する手段をさらに備える、発明３５に記載の装置。
［発明４０］調整されたマルチ・ポイント（ＣｏＭＰ）セットの非サービス提供アクセス・ポイント（ＡＰ）による無線通信のためのコンピュータ・プログラム製品であって、
１または複数のプロセッサによって実行可能な、格納された命令群を有するコンピュータ読取可能媒体を備え、前記命令群は、
前記ＣｏＭＰセット内の複数のアクセス・ポイント（ＡＰ）から送信された統合ＣｏＭＰ送信のアクノレッジメントのために、第１のユーザ機器（ＵＥ）に割り当てられたアップリンク・リソースに関する情報を、前記ＣｏＭＰセットのサービス提供ＡＰから受信するための命令群と、
前記第１のＵＥへのダウンリンク送信を、前記統合ＣｏＭＰ送信の一部として送信するための命令群と、
前記第１のＵＥからの前記統合ＣｏＭＰ送信のアクノレッジメントとの干渉を低減するために、前記サービス提供ＡＰから受信した情報に基づいて、１または複数の動作を行うための命令群と、
を備えるコンピュータ・プログラム製品。
［発明４１］前記情報は、前記第１のＵＥに割り当てられた物理アップリンク制御チャネル（ＰＵＣＣＨ）リソースを示すインジケーションを備える、発明４０に記載の装置。
［発明４２］前記情報は、前記サービス提供ＡＰによって、物理ダウンリンク制御チャネル（ＰＤＣＣＨ）の制御チャネル要素（ＣＣＥ）で送信される、発明４０に記載の装置。
［発明４３］前記情報は、ラジオ・リソース制御（ＲＲＣ）シグナリングによって受信される、発明４０に記載の装置。
［発明４４］前記１または複数の動作を行うための命令群は、前記第１のＵＥから送信されたアクノレッジメントと潜在的に干渉しうる１または複数の第２のＵＥへのアップリンク・リソースの割り当てを回避するための命令群を備える、発明４０に記載の装置。
［発明４５］前記第１のＵＥから送信されたアクノレッジメントと潜在的に干渉しうる１または複数の第２のＵＥへのアップリンク・リソースの割り当てを回避するための命令群は、前記アクノレッジメントを送信するために前記第１のＵＥへ割り当てられたアップリンク・リソースとオーバラップするアクノレッジメントを送信するために、前記第２のＵＥへのアップリンク・リソースの割り当てを回避するための命令群を備える、発明４４に記載の装置。
［発明４６］前記１または複数の動作を行うための命令群は、ディセーブルされたハイブリッド自動反復要求（ＨＡＲＱ）を用いて、１または複数のＵＥへダウンリンク送信を送るための命令群を備える、発明４０に記載の装置。
［発明４７］前記ダウンリンク送信の再送信に関する情報を、前記サービス提供ＡＰから受信するための命令群をさらに備える、発明４６に記載の装置。
［発明４８］調整されたマルチ・ポイント（ＣｏＭＰ）セットのサービス提供アクセス・ポイント（ＡＰ）による無線通信のためのコンピュータ・プログラム製品であって、
１または複数のプロセッサによって実行可能な、格納された命令群を有するコンピュータ読取可能媒体を備え、前記命令群は、
前記ＣｏＭＰセット内の複数のアクセス・ポイント（ＡＰ）から送信された統合ＣｏＭＰ送信のアクノレッジメントのために、ユーザ機器（ＵＥ）に割り当てられたアップリンク・リソースに関する情報を、前記ＣｏＭＰセットの非サービス提供アクセス・ポイントへ送信するための命令群と、
前記ＵＥへのダウンリンク送信を、前記統合ＣｏＭＰ送信の一部として送信するための命令群と、
を備えるコンピュータ・プログラム製品。
［発明４９］前記情報は、前記ＵＥに割り当てられた物理アップリンク制御チャネル（ＰＵＣＣＨ）リソースを示すインジケーションを備える、発明４８に記載の装置。
［発明５０］前記情報は、物理ダウンリンク制御チャネル（ＰＤＣＣＨ）の制御チャネル要素（ＣＣＥ）で送信される、発明４８に記載の装置。
［発明５１］前記情報は、ラジオ・リソース制御（ＲＲＣ）シグナリングによって送信される、発明４８に記載の装置。
［発明５２］前記ＵＥからのアクノレッジメントが受信されない場合、前記ダウンリンク送信の再送信に関する情報を、非サービス提供ＡＰへ送信するための命令群をさらに備える、発明４８に記載の装置。
【外国語明細書】
2014014109000001.pdf